(57)【要約】      （修正有）【課題】災害時に車を放置した時に、車を放置する時に持ち出す必要のある書類やカードを指示する記載を見ながら持ち出すことで安心して避難することができる、車に保管する防災ファイルを提供する。【解決手段】透明なポリプロピレン樹脂のファイル本体１であって、車検証を折り畳むことなく差し込み可能な幅に形成された車検証収納部１１の長手方向中心に折り線１１ａを形成し、前記車検証収納部の一端に幅広袋部１１ｃを形成し、該幅広袋部の表面側にＥＴＣカードや燃料カードや免許証を入れるカード収納袋部１１ｄを形成し、前記車検証収納部に連接して折り線を介して自賠責保険証を折り畳むことなく差し込み可能な幅に形成された自賠責保険証収納部１２を形成し、前記自賠責保険証の両端を差し込む袋部１２ｂを形成した車に保管する防災ファイルである。【選択図】図１
0003183702.tif 000002
【実用新案登録請求の範囲】
【請求項１】
透明なポリプロピレン樹脂のファイル本体であって、車検証を折り畳むことなく差し込み可能な幅に形成された車検証収納部の長手方向中心に折り線を形成し、前記車検証収納部の一端に幅広袋部を形成し、該幅広袋部の表面側にＥＴＣカードや燃料カードや免許証を入れるカード収納袋部を形成し、前記車検証収納部に連接して折り線を介して自賠責保険証を折り畳むことなく差し込み可能な幅に形成された自賠責保険証収納部を形成し、前記自賠責保険証の両端を差し込む袋部を形成したことを特徴とする車に保管する防災ファイル。
【請求項２】
前記した車検証収納部および自賠責保険証収納部に、車検証および自賠責保険証を差し込む以前に、非常時持ち出しリストや非常時車内に残しておく物リスト等を記載した紙片を差し込んだことを特徴とする請求項１記載の車に保管する防災ファイル。
【請求項３】
前記車検証と略同じ大きさの紙片で、かつ、長手方向の中心折り線が形成されると共に前記幅広袋部側に差し込む一端に前記カード収納袋に沿って折り畳んだ状態で収納するカード名が記載されたカード名記載片を延長して形成したことを特徴とする請求項２記載の車に保管する防災ファイル。
【請求項４】
前記カード名記載片を折り畳んで前記幅広袋部に差し込んだ状態において、折り畳んだ先端を前記幅広袋部より突出させて車検証の一端側を幅広袋部内に差し込み易くしたことを特徴とする請求項３記載の車に保管する防災ファイル。
【請求項５】
前記ファイル本体内に収納可能であって、車を放置して避難する際に放置した車の持主への連絡先を記載した紙片を収納する樹脂袋に接着剤を塗布しておき、車のウインドー等の外部から見やすい部分に張り付け可能としたことを特徴とする請求項１記載の車に保管する防災ファイル。
【考案の詳細な説明】
【技術分野】
【０００１】
本考案は、地震、火災、風水害、噴火等の災害時に車の運転を行っている状態において、車両を放置して避難する必要が生じた時に、該放置された車両の持主を警察官等の他人が容易に知ることができ、また、ファイル内に収納されている書類等の内、持ち出す必要が有る物、例えば、車検証や自賠責保険証、免許証やＥＴＣカードや燃料カード等を容易に判断して持ち出すことができる車に保管する防災ファイルに関する。
【背景技術】
【０００２】
従来における車検証等の書類を収納するための車検証入れとしては、車を購入した時にディーラーから渡される車の取扱書、整備書類等の車の操作に必要な複数の書物が収納されたファイル内に車検証、自賠責保険証も収納されているので、前記書物を見るためにファイルから取り出す時に車検証や自賠責保険証を破ったりする可能性があると共に、前記書物を見るためにファイルをダッシュボードから取り出すことが多いとファイル自体が折れ曲がったりするために、車検証や自賠責保険証も折れ曲がったり破れたりすることがあった。
【０００３】
そこで、車検証や自賠責保険証等に関連する書類のみを収納するためのファイルが、特開２００２−１１９８７号公報として出願が行われている。この出願の内容は、長手方向の中央部位を縦断する折れ線をそれぞれ備えた長方形シートを各折れ線が合致するように重ね、その長辺の１つを除く他の３辺を熱接合して車検証を折らずに収納可能な２つの偏平袋を形成し、１つの偏平袋を前記折れ線を外れた位置で熱接合して２つの小袋に分割した主袋と、長手方向の中央部位に縦折り線を備えた長方形シートの左右に前記主袋の両端を挿入する支持部が設けられたカバー体とから構成したものである。
【０００４】
そして、このように構成された主袋における前記長辺の１つに車検証を折り畳むことなく収納し、また、前記２つの小袋に車検証の関連書類を収納し、この状態において主袋の両端を前記カバー袋に形成されている前記支持部に差し込み、カバー袋を前記縦折り線で折り畳むことで主袋も折り畳まれるものである。
【先行技術文献】
【特許文献】
【０００５】
【特許文献１】特開２００２−１１９８７号公報
【考案の概要】
【考案が解決しようとする課題】
【０００６】
そして、前記した特許文献１における構造の車検証入れにあっては、車検証や、該車検証の関連書類を収納するファイルであるので、ダッシュボードから取り出して見ることも殆どないので車検証や該車検証の関連書類が折れ曲がったり破けることがなく長期間にわたって綺麗な状態で維持できるという利点を有するものである。
【０００７】
ところで、地震、火災、風水害、噴火等の災害時において車両を放置して人のみが避難しなければならないといった問題が発生することが近年多くなっている。このような避難する場合に車両を道路の左側に放置することになるが、車両を放置する際に、どのような物を持って避難しなければならないかを非常時に判断することは非常に困難である。
【０００８】
本考案は前記した問題点を解決せんとするもので、その目的とするところは、車検証や自賠責保険証、車の運転に必要な燃料カード、ＥＴＣカード、免許証等のカード類および災害時に車を放置した時に、その車の連絡先を記載した書面を収納するファイルであって、車を放置する時に持ち出す必要のある書類やカードを指示する文言や、災害時に車を放置して避難する場合には、前記持ち出しが必要な物が記載されていることから、該記載を見ながら持ち出すことで安心して避難することができる車に保管する防災ファイルを提供せんとするにある。
【課題を解決するための手段】
【０００９】
本考案の車に保管する防災ファイルは前記した目的を達成せんとするもので、請求項１の手段は、透明なポリプロピレン樹脂のファイル本体であって、車検証を折り畳むことなく差し込み可能な幅に形成された車検証収納部の長手方向中心に折り線を形成し、前記車検証収納部の一端に幅広袋部を形成し、該幅広袋部の表面側にＥＴＣカードや燃料カードや免許証を入れるカード収納袋部を形成し、前記車検証収納部に連接して折り線を介して自賠責保険証を折り畳むことなく差し込み可能な幅に形成された自賠責保険証収納部を形成し、前記自賠責保険証の両端を差し込む袋部を形成したことを特徴とする。
【００１０】
請求項２の手段は、前記した請求項１において、前記した車検証収納部および自賠責保険証収納部に、車検証および自賠責保険証を差し込む以前に、非常時持ち出しリストや非常時車内に残しておく物リスト等を記載した紙片を差し込んだことを特徴とする。
【００１１】
請求項３の手段は、前記した請求項２において、前記車検証と略同じ大きさの紙片で、かつ、長手方向の中心折り線が形成されると共に前記幅広袋部側に差し込む一端に前記カード収納袋に沿って折り畳んだ状態で収納するカード名が記載されたカード名記載片を延長して形成したことを特徴とする。
【００１２】
請求項４の手段は、前記した請求項３において、前記カード名記載片を折り畳んで前記幅広袋部に差し込んだ状態において、折り畳んだ先端を前記幅広袋部より突出させて車検証の一端側を幅広袋部内に差し込み易くしたことを特徴とする。
【００１３】
請求項５の手段は、前記した請求項１において、前記ファイル本体内に収納可能であって、車を放置して避難する際に放置した車の持主への連絡先を記載した紙片を収納する樹脂袋に接着剤を塗布しておき、車のウインドー等の外部から見やすい部分に張り付け可能としたことを特徴とする。
【考案の効果】
【００１４】
本考案は前記したように、車検証や自賠責保険証を折り畳むことなく収納可能なファイル本体に収納し、かつ、車検証を差し込むための袋部の一方を幅広となし、該幅広袋部に自の運転時に必要なＥＴＣカードや燃料カード、免許証等のカードを収納するカード収納袋部を形成したので、災害時の避難時に持ち出さなければならない書面やカードを忘れることがない。
【００１５】
また、非常時持ち出しリストや非常時車内に残しておく物リスト等を記載した紙片をファイル本体内に差し込んであるので、避難時に持ち出す物や残さなければならない物を、避難時に素早く判断して避難することができる。
【００１６】
さらに、前記紙片におけるカード名が記載されたカード名記載片を幅広袋部に差し込む部分に収納することでカード名がカード収納袋部に表示されることから、持ち出し時や収納時に間違いが生じることがない。
【００１７】
また、カード名記載片を折り畳んで前記幅広袋部に差し込んだ状態において、折り畳んだ先端が前記幅広袋部より突出されているので、車検証を幅広袋部内に差し込みが手間を掛けることなく容易に行える。
【００１８】
さらに、車を放置して避難する際に放置した車の持主への連絡先を記載した紙片を収納する樹脂袋に接着剤を塗布しておき、車のウインドー等の外部から見やすい部分に張り付け可能としたので、放置状態の車の持主に警察官等が簡単に連絡するでき、また、前記連絡先を記載した紙片をファイル本体内に収納することができるので、避難時にも該紙片を簡単に外部に対して表示することができる等の効果を有するものである。
【図面の簡単な説明】
【００１９】
【図１】ファイル本体を展開した内側面を示す正面図である。
【図２】ファイル本体の車検証収納部に収納する紙片の表面側を示す正面図である。
【図３】図２の内側面を示す正面図である。
【図４】ファイル本体の自賠責保険証収納部に収納する紙片の表面側を示す正面図である。
【図５】ファイル本体の２つの収納部に２枚の紙片を収納した展開図の表面側を示す正面図である。
【図６】図５の内側面を示す正面図である。
【図７】避難時に車のウインドー等に張り付け車の持主の連絡先を記載する連絡紙の正面図である。
【考案を実施するための形態】
【００２０】
以下、本考案の車に保管する防災ファイルの一実施例を図面と共に説明する。
１はポリプロピレン等の寒冷時に硬化し、高温時に軟化することのない透明なポリプロピレンで構成したファイル本体にして、車検証を折り畳むことなく収納できる高さと横幅に形成された車検証収納部１１と、自賠責保険証を折り畳むことなく収納できる高さと横幅に形成された自賠責保険証収納部１２とより形成されている。
【００２１】
そして、車検証収納部１１に車検証を収納した状態において該車検証の中心部で折畳可能な折り線１１ａが形成され、かつ、自賠責保険証収納部１２との間にも折り線１２ａが形成され、ファイル１は三つ折りが可能に形成されている。
【００２２】
前記車検証収納部１１における前記折り線１２ａ側には車検証の一端部を差し込むための袋部１１ｂが形成され、また、車検証の他端部を差し込むための幅広袋部１１ｃが形成されている。さらに、前記幅広袋部１１ｃの表面側にはＥＴＣカード、燃料カード、免許証等のカードを収納するためのカード収納袋部１１ｄが形成されている。
【００２３】
また、前記自賠責保険証収納部１２の両側には自賠責保険証の両側部を差し込むための袋部１２ｂが形成されている。
【００２４】
前記したファイル本体１の車検証収納部１１の袋部１１ｂに車検証の一端部を差し込み、他端部を幅広袋部１１ｃに差し込むことで車検証は車検証収納部１１に保管され、また、カード類を前記カード収納袋部１１ｄに収納することでカード類も保管できる。
【００２５】
また、自賠責保険証収納部１２の袋部１２ｂを差し込むことで自賠責保険証は自賠責保険証収納部１２に保管される。そして、車検証収納部１１に形成されている折り線１１ａで折り畳み、次いで、自賠責保険証収納部１２に形成されている折り線１２ａで折り畳むことで、ファイル１は１／３の幅となってダッシュボード等の狭い保管部への保管が楽に行える。
【００２６】
次に、前記ファイル本体１の車検証収納部１１における幅広袋部１１ｃと袋部１１ｂに差し込んでファイル本体１に固定する第１の紙片２の構成について説明する。
【００２７】
第１の紙片２は、「車擁防災ファイル」等の使用目的を記載した使用目的記載片２１と、該使用目的記載片２１と折り線２１ａを介して連接された「車を置いて避難するとき」等の避難時注意事項を記載した避難時注意記載片２２と，該避難時注意記載片２２と折り線２２ａを介して連接されたカード名記載片２３の表面側は何らの記載がなく、カード名記載片２３の裏面側には前記ファイル本体１の前記カード収納部１１ｄに収納するカード名が記載されたカード名記載片２３とより形成されている。なお、図３にあっては、カード名記載片２３を避難時注意記載片２２の裏面側に折り畳んだ状態を示している。
【００２８】
また、前記した第１の紙片２における前記使用目的用記載片２１の裏面側にはファイル本体１の使用方法が記載されている。
【００２９】
次に、ファイル本体１の自賠責保険証収納部１２に収納する前記第１の紙片２と同様な素材で形成された第２の紙片３にして、前記自賠責保険証収納部１２に差し込んだ状態で表面側に表示される「非常時持ち出しリスト」「非常時車内に残しておく物リスト」「災害用伝言ダイヤルの使い方」が記載されている。なお、裏面側には何らの記載もない。
【００３０】
前記した第１の紙片１をファイル本体１の車検証収納部１１に差し込む手順としては、カード名記載片２３を避難時注意記載片２２の裏面側に折り畳んだ状態で幅広袋部１１ｃ内に差し込む、次いで、避難時注意記載片２２の端部を袋部１１ｂに挿入する。第１の紙片２を差し込んだ状態でファイル本体１における車検証収納部１１の表面側の中央には使用目的用記載片２１が表示され、その左側には避難時注意記載片２２が表示される。
【００３１】
また、自賠責保険証収納部１２の袋部１２ｂに第２の紙片３における避難時注意事項が記載された面を表面側となるように差し込むことで、図５に示す状態となる。
【００３２】
なお、前記した車検証や自賠責保険証については、車検証と自賠責保険証の原本のコピーを作成して原本とコピーを一緒にファイル本体１に差し込み、避難時にはコピーのみを残して原本を持ち出すことで、避難後に警察等による連絡がスムーズに行えると共に、車検証や自賠責保険証の原本を他人に持ち出されるのを防止することができる。また、車検証や自賠責保険証の原本を持ち出すことから、警察等で車を移動して保管した車の返却時に前記原本を見せることで車の持ち主であるこの証明することができる。
【００３３】
前記したファイル本体１に第１の紙片２を装着した状態において、カード名記載片２３の先端２３ａがファイル本体１の幅広袋部１１ｃの先端開口部より突出した状態となることで、車検証を第１の紙片２の露出面に沿って差し込む時にカード名記載片２３の先端２３ａが突出しているので、幅広袋部１１ｃが邪魔になることがなく容易に車検証を差し込むことができるという効果がある。
【００３４】
また、災害時に車を放置して避難する場合に、前記した第２の紙片３に記載されている非常時持ち出しリスト、例えば、免許証、車検証、自賠責保険証やＥＴＣカード、燃料カード、ＪＡＦカード、免許証、また、非常時に車内に残しておく物リスト、例えば、車検証と自賠責保険証のコピーや車両に関する連絡先等が記載されているので、運転者が平静でない状態であっても車を放置する時の必要な操作を行うことができ、従って、地震等の災害が正常になった時に車が不明になることもなく安心できる。
【００３５】
なお、前記した第１，第２の紙片に記載されている内容は一例でありファイルの販売業者によって記載内容を変えて販売することも可能である。また、紙片に空白部分を設けることで、ファイルを購入した個人等が避難時に持ち出す必要な事項を記載して、個々人の使用に適したファイルを作成することも可能である。
さらに、企業が前記ファイルを所有することで、車の管理を行うことも可能である。
【００３６】
図７において、４は避難時に自動車のウインドーやダッシュボード等の外部から見やすい部分に張り付けて置くことで、前記車検証や自賠責保険証と共に警察等からの連絡がスムーズに行えるようにするための連絡先を記載する紙片にして、該紙片４には「この車の連絡先」と記載されており、連絡先１には自筆で住所、電話番号、氏名を記載する欄４ａと、連絡先２には名刺を張り付ける欄４ｂとが形成されている。
【００３７】
また、紙片４はポリプロピレン等の樹脂フィルムで形成された樹脂袋５に収納され、該樹脂袋５の裏面には剥離可能な接着剤が塗布されている。なお、６は前記樹脂袋５の接着剤を保護するための剥離紙である。そして、避難する場合には剥離紙６を樹脂袋５から剥離してウインドーやダッシュボードに接着することで、警察等からの連絡が容易に行えることとなる。また、紙片４は樹脂袋５に収納された状態でウインドーやダッシュボードに貼り付けられているので、剥離する時に樹脂袋５に接着剤されていることから、紙片４に接着剤が塗布された物と比して綺麗に剥離できる。
【符号の説明】
【００３８】
１              ファイル本体
１１            車検証収納部
１１ａ，１２ａ  折り線
１１ｂ，１２ｂ  袋部
１ｃ            幅広袋部
１１ｃ          シード収納部
１２            自賠責保険証収納部
２              第１の紙片
２２ａ          折り線
２３            カード名記載片
【図１】
0003183702.tif 000003
【図２】
0003183702.tif 000004
【図３】
0003183702.tif 000005
【図４】
0003183702.tif 000006
【図５】
0003183702.tif 000007
【図６】
0003183702.tif 000008
【図７】
0003183702.tif 000009
【手続補正書】
【提出日】平成25年3月25日(2013.3.25)
【手続補正１】
【補正対象書類名】明細書
【補正対象項目名】００３４
【補正方法】変更
【補正の内容】
【００３４】
また、災害時に車を放置して避難する場合に、前記した第２の紙片３に記載されている非常時持ち出しリスト、例えば、免許証、車検証、自賠責保険証やＥＴＣカード、燃料カード、免許証、また、非常時に車内に残しておく物リスト、例えば、車検証と自賠責保険証のコピーや車両に関する連絡先等が記載されているので、運転者が平静でない状態であっても車を放置する時の必要な操作を行うことができ、従って、地震等の災害が正常になった時に車が不明になることもなく安心できる。
【手続補正２】
【補正対象書類名】図面
【補正対象項目名】図２
【補正方法】変更
【補正の内容】
【図２】
0003183702.tif 000010
【手続補正３】
【補正対象書類名】図面
【補正対象項目名】図３
【補正方法】変更
【補正の内容】
【図３】
0003183702.tif 000011
【手続補正４】
【補正対象書類名】図面
【補正対象項目名】図４
【補正方法】変更
【補正の内容】
【図４】
0003183702.tif 000012
【手続補正５】
【補正対象書類名】図面
【補正対象項目名】図５
【補正方法】変更
【補正の内容】
【図５】
0003183702.tif 000013
【手続補正６】
【補正対象書類名】図面
【補正対象項目名】図６
【補正方法】変更
【補正の内容】
【図６】
0003183702.tif 000014